(57)【特許請求の範囲】
【請求項１】
鉄塔を含む構造物を昇降するために、足場として取り付けられる昇降用ステップであって、
対向する２つの挟持部を有し、該挟持部間に前記構造物の構成部材を挿入自在な挟持体と、
前記挟持体に設けられ、前記挟持部間に前記構成部材を挿入することで、前記挟持体を前記構成部材に仮保持する仮保持手段と、
前記挟持体に設けられ、人の足を載せる足場体と、
前記挟持体に連結され、締め込むことで前記挟持体を前記構成部材に固定する回転体と、を備え、
前記仮保持手段は、前記挟持部間に配設されたバネ材で構成され、前記挟持部間に前記構成部材を挿入することで、前記バネ材の弾性力によって前記両挟持部で前記構成部材を仮挟持し、
前記足場体は、前記両挟持部を貫通し、足を載せる側とは反対側の端部にネジ部が形成され、
前記回転体を前記ネジ部に締め込むことで、前記両挟持部で前記構成部材を挟持する、
ことを特徴とする昇降用ステップ。
【請求項２】
前記挟持体に下方に延びて設けられ、前記足場体に人の足が載せられた際に、前記構成部材に当接することで前記足場体の撓みを抑制する支持部を備える、
ことを特徴とする請求項１に記載の昇降用ステップ。
【発明の詳細な説明】
【技術分野】
【０００１】
この発明は、送電線鉄塔などの構造物を昇降するために足場として取り付けられる昇降用ステップに関する。
【背景技術】
【０００２】
例えば、送電線鉄塔は、アングル材（等辺山型鋼）で主柱材（メインポスト）が構成され、主柱材には足場としてのステップボルトが取り付けられているが、保安上、第三者が鉄塔に昇らないように、地上から所定の高さまではステップボルトが外されている。このため、作業や点検などのために鉄塔を昇降する場合には、ステップボルトを所持して主柱材に取り付けたり、取り外したりしなければならない。しかしながら、通常のステップボルトはボルトとナットから構成されているため、手間と時間を要するばかりでなく、主柱材にボルトを挿入するための孔が形成されていなければならず、任意の位置に取り付けることができない。
【０００３】
このため、臨時的に任意の位置に取り付けることができ、かつ、堅牢で着脱可能な足場が知られている（例えば、特許文献１参照。）。この足場は、相対向する内側面がプレート（構造物の部材）にそれぞれ当接される平面で、かつ内側面の反対面であるそれぞれの外側面が一方向に向けて肉厚を漸増させる傾斜面となっている一対の楔部材と、コ字状の相対向する面に、楔部材の傾斜面に当接し得る傾斜面が形成され、一方向に向けて楔部材に嵌入される固定部材と、固定部材の少なくとも一つの外周面から一方向に交差する方向に突出させて固定部材に固着されたステップボルトと、を有するものである。
【先行技術文献】
【特許文献】
【０００４】
【特許文献１】特開２０１３−１７０３９９号公報
【発明の概要】
【発明が解決しようとする課題】
【０００５】
ところで、特許文献１の足場を送電線鉄塔などに取り付けるには、楔部材の平面間にアングル材（プレート）の両面を相対向させて、ハンマーで固定部材の上端面を下方に叩き込む。これにより、固定部材の傾斜面が楔部材の傾斜面に沿って下降して、楔作用により楔部材がアングル材に固定される。また、足場を送電線鉄塔などから取り外すには、ハンマーで固定部材の下端面を上方に叩き上げる。これにより、固定部材の傾斜面が楔部材の傾斜面に沿って上昇して、楔部材によるアングル材の挟持力が緩み、アングル材から取り外れるものである。
【０００６】
このように、足場を取り付けたり取り外したりするのに、両手を使わなければならないばかりでなく、ハンマー（工具）を所持して叩く必要があり、手間と時間を要する。殊に、高い位置で足場を着脱する場合には、不安定で作業者に負担となる。しかも、鉄塔などからハンマーを落下させるおそれがある。
【０００７】
そこでこの発明は、工具を使わずに片手で着脱することが可能な昇降用ステップを提供することを目的とする。
【課題を解決するための手段】
【０００８】
上記課題を解決するために、請求項１の発明は、鉄塔を含む構造物を昇降するために、足場として取り付けられる昇降用ステップであって、対向する２つの挟持部を有し、該挟持部間に前記構造物の構成部材を挿入自在な挟持体と、前記挟持体に設けられ、前記挟持部間に前記構成部材を挿入することで、前記挟持体を前記構成部材に仮保持する仮保持手段と、前記挟持体に設けられ、人の足を載せる足場体と、前記挟持体に連結され、締め込むことで前記挟持体を前記構成部材に固定する回転体と、を備え、前記仮保持手段は、前記挟持部間に配設されたバネ材で構成され、前記挟持部間に前記構成部材を挿入することで、前記バネ材の弾性力によって前記両挟持部で前記構成部材を仮挟持し、前記足場体は、前記両挟持部を貫通し、足を載せる側とは反対側の端部にネジ部が形成され、前記回転体を前記ネジ部に締め込むことで、前記両挟持部で前記構成部材を挟持する、ことを特徴とする。
【０００９】
この発明によれば、挟持部間に構成部材を挿入すると、仮保持手段で挟持体が構成部材に仮保持され、回転体を締め込むと挟持体が構成部材に固定されて、足場体が構成部材に取り付けられる。
【００１５】
また、この発明によれば、挟持部間に構成部材を挿入すると、バネ材によって両挟持部で構成部材が仮挟持され、回転体を足場体のネジ部に締め込むと、両挟持部で構成部材が挟持されて、足場体が構成部材に取り付けられる。
【００１６】
請求項２の発明は、請求項１に記載の昇降用ステップにおいて、前記挟持体に下方に延びて設けられ、前記足場体に人の足が載せられた際に、前記構成部材に当接することで前記足場体の撓みを抑制する支持部を備える、ことを特徴とする。
【発明の効果】
【００１７】
請求項１の発明によれば、挟持部間に構成部材を挿入して回転体を締め込むだけで、容易かつ迅速に構成部材に取り付けることができ、また、回転体を緩めて挟持体を構成部材から外すだけで、容易かつ迅速に構成部材から取り外すことができる。しかも、挟持部間に構成部材を挿入することで、挟持体つまり昇降用ステップが構成部材に仮保持されるため、片手で着脱することが可能となる。つまり、片手で挟持部間に構成部材を挿入して片手で回転体を締め込んだり、片手で回転体を緩めて片手で挟持体を構成部材から外したりすることができる。さらに、回転体を締め込んだり緩めたりするだけでよいので、工具（ハンマーやレンチなど）を使わずに着脱することが可能となる。
【００１８】
また、構造物の構成部材にボルトを挿入するための孔などを加工、形成する必要がなく、任意の位置に取り付けることができる。このようにして、容易かつ安定して安全に、しかも、任意の位置に足場を構造物に着脱することが可能となる。
【００２１】
また、バネ材の弾性力によって両挟持部で構成部材を仮挟持するため、挟持体つまり昇降用ステップを構成部材により確実に仮保持することが可能となる。また、足場体の端部のネジ部に回転体を締め込んで、両挟持部で構成部材を挟持するため、挟持体（昇降用ステップ）を構成部材により強固に固定することが可能となり、その結果、足場としての安定性が向上する。
【００２２】
請求項２の発明によれば、足場体に人の足が載せられた際に、支持部によって足場体の
撓みが抑制されるため、足場としての安定性が向上する。
【図面の簡単な説明】
【００２３】
【図１】この発明の実施の形態１に係る昇降用ステップを示す（ａ）平面図と（ｂ）正面図である。
【図２】この発明の実施の形態２に係る昇降用ステップを示す平面図である。
【図３】この発明の実施の形態３に係る昇降用ステップの仮保持状態を示す平面図である。
【図４】図３の昇降用ステップの仮保持の解除状態を示す平面図である。
【図５】図３の昇降用ステップの固定状態を示す平面図である。
【図６】図３の昇降用ステップの側面図である。
【図７】この発明の実施の形態４に係る昇降用ステップを示す（ａ）平面図と（ｂ）正面図である。
【発明を実施するための形態】
【００２４】
以下、この発明を図示の実施の形態に基づいて説明する。
【００２５】
（実施の形態１）
図１は、この実施の形態に係る昇降用ステップ１を示す、（ａ）平面図（一部断面図）と（ｂ）正面図である。この昇降用ステップ１は、鉄塔を含む構造物を昇降するために、足場として取り付けられるステップであり、主として、挟持体２と、弾性体（仮保持手段）３と、足場体（回転体）４と、を備えている。ここで、この実施の形態では、構造物が送電線鉄塔であり、Ｌ字状のアングル材で構成された主柱材（構成部材）１０１に昇降用ステップ１を取り付ける場合について、主として説明する。
【００２６】
挟持体２は、対向する２つの挟持部２１、２２を有し、該挟持部２１、２２間に送電線鉄塔の主柱材１０１を挿入自在なものである。すなわち、鉄鋼製で、平面形状が略コ字状で、コ字の平行な２つの面部が挟持部２１、２２を構成し、挟持部２１、２２間が連結部２３で連結されている。この挟持部２１、２２間に主柱材１０１の一片部１０２を挿入できるように、挟持部２１、２２間の距離が設定されている。また、後述するようにして足場体４を締め込んだ際に、足場体４と第２の挟持部２２とで強固に一片部１０２を挟持できるように、挟持部２１、２２の長さ（大きさ）が設定されている。
【００２７】
さらに、挟持部２１、２２の厚さは、主柱材１０１に取り付けられた状態で所定の強度・剛性が得られ、安定して人が昇降できるように設定されている。また、第１の挟持部（一方の挟持部）２１の中央部には、ネジ孔２１ａが形成されている。
【００２８】
弾性体３は、挟持体２に設けられ、挟持部２１、２２間に主柱材１０１を挿入することで、挟持体２を主柱材１０１に仮保持するものである。すなわち、弾性体３は、ゴムなどで構成されて弾性変形自在で、略半球状体で第１の挟持部２１の内面（一片部１０２と対向する面）２１ａに配設されている。この実施の形態では、ネジ孔２１ａを囲むように複数配設されている。
【００２９】
そして、挟持部２１、２２間に主柱材１０１の一片部１０２を挿入すると、弾性体３が圧縮されて、弾性体３と第２の挟持部（他方の挟持部）２２とで一片部１０２を仮挟持して、挟持体２（昇降用ステップ１）が主柱材１０１に仮保持される。換言すると、弾性体３と第２の挟持部２２とで一片部１０２を仮挟持して、挟持体２が主柱材１０１に仮保持されるように、弾性体３の弾性力、大きさおよび配設数が設定されている。ここで、仮保持（仮挟持）とは、挟持体２が落下することなく主柱材１０１に取り付けられて、かつ、手で挟持体２を動かせる程度の状態である。
【００３０】
足場体４は、挟持体２に設けられ、人の足を載せるものであり、かつ、この実施の形態では、挟持体２に連結され、締め込むことで挟持体２を主柱材１０１に固定するものである。すなわち、鉄鋼製の丸棒状で、一端部にネジ部４１が形成され、このネジ部４１が挟持体２のネジ孔２１ａに螺合され第１の挟持部２１を貫通している。この状態で、挟持部２１、２２の面に対して足場体４が略垂直に延びている。また、ネジ部４１の先端に円盤状の押圧部４２が、第２の挟持部２２に対向して設けられている。
【００３１】
一方、足場体４の他端部には、貫通孔４ａが形成され、この貫通孔４ａに丸棒状のハンドル４３がスライド自在に挿入されている。また、ハンドル４３の両端には球状の抜け止め４４が着脱自在に取り付けられている。そして、挟持体２の挟持部２１、２２間に主柱材１０１の一片部１０２を挿入した状態で、ハンドル４３を手で持って足場体４を軸心周りに回して回転体として締め込むと、足場体４の押圧部４２と第２の挟持部２２とで一片部１０２が挟持される。これにより、挟持体２つまり昇降用ステップ１が主柱材１０１に固定されるものである。
【００３２】
ここで、足場体４の強度・剛性、径および長さは、人の足を安定して載せることができ、かつ、持ち運びしやすいように設定されている。
【００３３】
次に、このような構成の昇降用ステップ１の作用などについて説明する。
【００３４】
送電線鉄塔を昇降するに際して、昇降用ステップ１を主柱材１０１に取り付けるには、まず、主柱材１０１の一片部１０２の所望箇所を挟持体２の挟持部２１、２２間に挿入する。これにより、弾性体３と第２の挟持部２２とで一片部１０２が仮挟持されて、挟持体２つまり昇降用ステップ１が主柱材１０１に仮保持される。次に、足場体４を締め込むと、足場体４と第２の挟持部２２とで一片部１０２が強固に挟持されて、足場体４つまり昇降用ステップ１が主柱材１０１に固定される。この際、一片部１０２の長手方向に対して足場体４が略垂直に延びるように取り付けられる。
【００３５】
そして、この足場体４に足を載せたり手を掛けたりして送電線鉄塔を昇降する。この際、ハンドル４３をスライドさせて邪魔にならないようにハンドル４３を位置させたり、あるいは、抜け止め４４を外してハンドル４３を足場体４から取り外したりする。その後、昇降用ステップ１を取り外すには、足場体４を緩めて挟持体２を一片部１０２から外せばよい。
【００３６】
以上のように、この昇降用ステップ１によれば、挟持部２１、２２間に一片部１０２を挿入して足場体４を締め込むだけで、容易かつ迅速に主柱材１０１に取り付けることができ、また、足場体４を緩めて挟持体２を一片部１０２から外すだけで、容易かつ迅速に主柱材１０１から取り外すことができる。つまり、容易かつ迅速に足場を送電線鉄塔に着脱することが可能となる。しかも、挟持部２１、２２間に一片部１０２を挿入することで、昇降用ステップ１が主柱材１０１に仮保持されるため、片手で着脱することが可能となる。つまり、片手で挟持部２１、２２間に一片部１０２を挿入して片手で足場体４を締め込んだり、片手で足場体４を緩めて片手で挟持体２を一片部１０２から外したりすることができる。
【００３７】
また、足場体４を締め込んだり緩めたりするだけでよいので、工具（ハンマーやレンチなど）を使わずに着脱することが可能となる。しかも、ハンドル４３を持って足場体４を回すことで、所定の力・トルクで足場体４を適正に締め込むことができる。さらに、足場体４が回転体を兼ねているため、構成が簡易となり、取り扱いも容易となる。また、仮保持手段が弾性体３で構成されているだけであるため、構成がより簡易となる。
【００３８】
一方、送電線鉄塔の主柱材１０１にボルトを挿入するための孔などを加工、形成する必要がなく、任意の位置に取り付けることができる。このようにして、容易かつ安定して安全に、しかも、任意の位置に足場を送電線鉄塔に着脱することが可能となる。また、一片部１０２を挟む挟持体２（弾性体３を含む）と足を載せる足場体４とを備えるだけであるため、小型化、軽量化が可能で、持ち運びや取り扱いが容易となる。
【００３９】
（実施の形態２）
図２は、この実施の形態に係る昇降用ステップ１を示す平面図（一部断面図）である。この実施の形態では、仮保持手段として弾性体３に代って磁石３１を備える点で実施の形態１と構成が異なり、実施の形態１と同等の構成については、同一符号を付することでその説明を省略する。
【００４０】
磁石３１は、第２の挟持部（一方の挟持部）２２の内面２２ａ側に設けられ、挟持部２１、２２間に一片部１０２を挿入することで、磁石３１の磁力によって第２の挟持部２２が一片部１０２に付着し、昇降用ステップ１が主柱材１０１に仮保持される。ここで、磁石３１の磁力と大きさは、昇降用ステップ１を安定して仮保持できるように設定されている。
【００４１】
また、足場体４は、第１の挟持部（他方の挟持部）２１に形成されたネジ孔２１ａを貫通して螺合されている。そして、足場体４を回転体として締め込むと、足場体４と第２の挟持部２２とで一片部１０２が強固に挟持されて、足場体４つまり昇降用ステップ１が主柱材１０１に取り付けられる。
【００４２】
この実施の形態によれば、実施の形態１と同様に、昇降用ステップ１を工具を使わずに、かつ片手で着脱することが可能で、容易かつ安定して安全に、しかも、任意の位置に足場を送電線鉄塔に着脱することが可能となる。また、仮保持手段が磁石３１で構成されているだけであるため、構成がより簡易となるとともに、挟持体２つまり昇降用ステップ１を主柱材１０１により確実に仮保持することが可能となる。
【００４３】
（実施の形態３）
図３〜図６は、この実施の形態を示し、実施の形態１と同等の構成については、同一符号を付することでその説明を省略する。
この実施の形態では、仮保持手段が、挟持部２１、２２間に配設されたバネ材２４で構成され、挟持部２１、２２間に一片部１０２を挿入することで、バネ材２４の弾性力によって両挟持部２１、２２で一片部１０２を仮挟持する。すなわち、平板状の第１の挟持部２１と第２の挟持部２２とが一端部において、棒状の連結部２３を介して接続され、第２の挟持部２２は連結部２３に沿ってスライド自在となっている。また、連結部２３に巻き付くように圧縮コイルバネであるバネ材２４が、挟持部２１、２２間に配設され、これにより、洗濯バサミのように、挟持部２１、２２の他端部側が接近・当接するようになっている。
【００４４】
さらに、挟持部２１、２２の他端部側の内面には、ゴムなどで構成されて弾性を有するグリップ２５が配設されている。そして、挟持部２１、２２間の他端部側に一片部１０２を挿入すると、図３に示すように、バネ材２４の弾性力によって両挟持部２１、２２で一片部１０２が仮挟持される。また、挟持部２１、２２の一端部側を接近させてバネ材２４を縮めると、図４に示すように、挟持部２１、２２の他端部側が開いて一片部１０２の仮挟持が解除される。
【００４５】
足場体５は、両挟持部２１、２２の中央部を貫通し、足を載せる側とは反対側の端部にネジ部５１が形成されている。すなわち、鉄鋼製の丸棒状で、一端部にネジ部５１が形成され、このネジ部５１が両挟持部２１、２２を貫通して第２の挟持部２２の外面（一片部１０２側の反対面）から突出している。また、ネジ部５１が貫通する第２の挟持部２２の挿入孔２２ａは、外面側に大径の略円錐台状で、ネジ部５１との間に隙間を有し、図３、図４に示すように、第２の挟持部２２が可動（揺動）自在となっている。一方、第１の挟持部２１は、貫通部において足場体５に固定されており、第１の挟持部２１の外面に当接するストッパ５２が足場体５に設けられている。
【００４６】
そして、回転体６をネジ部５１に締め込むことで、両挟持部２１、２２で一片部１０２が挟持される。すなわち、回転体６は、図５、図６に示すように、ナット６１とハンドル６２とが一体化したもので、第２の挟持部２２から突出したネジ部５１に、ハンドル６２を手で回してナット６１を締め込むことで、両挟持部２１、２２で一片部１０２が挟持されて、足場体５つまり昇降用ステップ１が主柱材１０１に固定される。一方、回転体６を緩めると、図３に示すように、バネ材２４によって昇降用ステップ１が主柱材１０１に仮保持され、挟持体２を一片部１０２から引き抜けば昇降用ステップ１を取り外せるものである。ここで、ハンドル６２は、手で回しても所定の力・トルクでナット６１を締め込める形状に形成されている。
【００４７】
この実施の形態によれば、実施の形態１と同様に、昇降用ステップ１を工具を使わずに、かつ片手で着脱することが可能で、容易かつ安定して安全に、しかも、任意の位置に足場を送電線鉄塔に着脱することが可能となる。また、バネ材５の弾性力によって両挟持部２１、２２で一片部１０２を仮挟持するため、挟持体２（昇降用ステップ１）を一片部１０２により確実に仮保持することが可能となる。また、足場体５の端部のネジ部５１に回転体６を締め込んで、両挟持部２１、２２で一片部１０２を挟持するため、挟持体２を一片部１０２により強固に固定することが可能となり、その結果、足場としての安定性、安全性が向上する。
【００４８】
（実施の形態４）
図７は、この実施の形態に係る昇降用ステップ１を示す（ａ）平面図と（ｂ）正面図である。この実施の形態では、支持部７を備える点で実施の形態１、２と構成が異なり、実施の形態１、２と同等の構成については、同一符号を付することでその説明を省略する。
【００４９】
この支持部７は、挟持体２に下方に延びて設けられ、足場体４に人の足が載せられた際に、主柱材１０１に当接することで足場体４の撓みを抑制するものである。すなわち、平面形状が略コ字状の挟持体２の第１の挟持部２１の内面２１ａ側に磁石３１が設けられ、第２の挟持部２２に形成されたネジ孔２２ｂに、ネジ棒状の締付バー（回転体）８が貫通して螺合されている。ここで、締付バー８の一端部（主柱材１０１側の端部）には円盤状の押圧部８１が設けられ、他端部には、ハンドル８２がスライド自在に設けられている。
【００５０】
また、第１の挟持部２１の外側面に足場体４が設けられ、この足場体４と直交するように、第１の挟持部２１の下面から支持部７が下方に延びて設けられている。この支持部７は、略直方体状で、足場体４に人の足などが載せられていない状態では、一片部１０２にわずかに接しているか、一片部１０２からわずかに離れるように形成されている。また、支持部７の長さ、厚みは、足場体４の撓みをより抑制できるように設定されている。
【００５１】
そして、挟持部２１、２２間に一片部１０２を挿入すると、磁石３１の磁力によって第１の挟持部２１が一片部１０２に付着し、締付バー８を締め込むと、締付バー８と第１の挟持部２１とで一片部１０２が挟持されて、昇降用ステップ１が主柱材１０１に取り付けられる。この状態で足場体４に人の足などが載せられると、支持部７に矢印Ｄ方向のモーメントが生じて、支持部７が主柱材１０１に当接（押圧）する。これにより、支持部７が主柱材１０１で支持されて、足場体４が下方に撓むのが抑制される。
【００５２】
このような実施の形態によれば、足場体４に人の足などが載せられた際に、支持部７によって足場体４の撓みが抑制されるため、足場としての安定性、安全性が向上する。
【００５３】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態４のみに支持部７を備えているが、他の実施の形態１〜３においても、支持部７を備えてもよい。また、実施の形態１において弾性体３を仮保持手段として設けているが、バネ・スプリングを設けてもよい。
【符号の説明】
【００５４】
１        昇降用ステップ
２        挟持体
２１、２２  挟持部
２１ａ    ネジ孔
２４      バネ材（仮保持手段）
３        弾性体（仮保持手段）
３１      磁石（仮保持手段）
４、５    足場体（回転体）
５１      ネジ部
６        回転体
７        支持部
８        締付バー（回転体）
１０１    主柱材（構成部材）
１０２    一片部（構成部材）
【図１】
0006558069.tif 000002
【図２】
0006558069.tif 000003
【図３】
0006558069.tif 000004
【図４】
0006558069.tif 000005
【図５】
0006558069.tif 000006
【図６】
0006558069.tif 000007
【図７】
0006558069.tif 000008